(57)【特許請求の範囲】
【請求項１】
光源と、この光源を取り付ける器具本体と、前記光源を点灯制御する制御部と、この制御部に対するトリガ信号を生成するためのアクティブ型の人感センサと、前記光源及び人感センサを覆うカバーと、を備えた照明器具であって、
前記アクティブ型の人感センサは、ミリ波センサであり、前記器具本体の中央部に設けられることを特徴とする照明器具。
【発明の詳細な説明】
【技術分野】
【０００１】
本発明は、人検知により光源を点灯させる照明器具に関する。
【背景技術】
【０００２】
従来から、照明器具に取付けられる人感センサとしては、ＰＩＲ（Passive Infrared Ray）センサが使用されている。ＰＩＲセンサは、センサ内に設けられた焦電素子が周囲の赤外線を検知して、検知エリア内の温度変化から人の存否を検知するものである。このＰＩＲセンサは、安価で、消費電力が少なく、装置の設置が容易である等の利点があることから、照明器具を含む広い分野で使用されている。しかし、ＰＩＲセンサは、検知エリアの温度変化を検知するという特性上、照明器具に用いられる際には、その取付位置が制限されていた。具体的には、ＰＩＲセンサの検知エリアに光源等の熱源があると、その熱の影響を受けて誤検知を生じることがあるので、光源をＰＩＲセンサの検知エリア内に設置する、又はＰＩＲセンサを光源の近傍に設置すること等ができなかった。
【０００３】
そこで、従来は、図３に示すように、直管型蛍光灯を備えた照明器具１０１においては、光源１０２を保持するソケット部分１２１に、センサ１０５を取り付け、このセンサ１０５の検知エリアＳ１（ハッチング部分）に光源１０２等の熱源が含まれないようする設計が行われていた（例えば、特許文献１参照）。また、カバー２０６を備えた照明器具２０１においては、センサ２０５が、図４（ａ）に示すように、カバー２０６の外側に取り付けられたり、図４（ｂ）に示すように、器具本体２０３の端部に設置されていた（例えば、特許文献２参照）。
【０００４】
また、器具本体の底板に人感センサを配置し、この人感センサに超音波センサを用いた照明器具が知られている（例えば、特許文献３参照）。更に、人体検知のために電波を送信する人感センサを備えた照明装置も知られている（例えば、特許文献４参照）。
【特許文献１】特開２００１−１８４９３６号公報
【特許文献２】特開２００２−４２５４３号公報
【特許文献３】特開２００６−３２０５０号公報
【特許文献４】特開２００１−３０５２２０号公報
【発明の開示】
【発明が解決しようとする課題】
【０００５】
しかしながら、特許文献１乃至特許文献３に示される照明器具では、センサが器具の外側に露出していて、ユーザの目に付き易く、照明器具の外観上の見栄えが悪くなるという問題があった。また、センサが露出していると、太陽光や風等の外的要因の影響を受け易くなり、センサの誤作動の原因となる。
【０００６】
また、図３に示すように、センサ１０５の検知エリアＳ１（ハッチング部分）に光源１０２等が含まれないようにすると、センサ１０５の検知エリアＳ１と光源からの光の照射エリアＲ１（破線で挟まれた部分）とが不一致となり、センサ付照明器具としての十分に機能しない虞がある。特許文献４に示される照明装置においては、照明装置とセンサとが相対的に離れて設置されるので、検知エリアＳ１と照射エリアＲ１との差異が大きくなり、施設やオフィス、一般住宅等の比較的広い屋内で使用されるときに、正確に人の存在を検知して光源を点灯させることができない。
【０００７】
本発明は、上記課題を解決するものであり、人感センサを器具外に露出させないことにより、外観上の見栄えを良くすると共に、人感センサの誤作動を防止し、また、器具設計上の自由度が高く、しかも、想定される検知エリア内で正確に人の存在を検知して光源を点灯させる照明器具を提供することを目的とする。
【課題を解決するための手段】
【０００８】
上記課題を解決するため、請求項１の発明は、光源と、この光源を取り付ける器具本体と、前記光源を点灯制御する制御部と、この制御部に対するトリガ信号を生成するためのアクティブ型の人感センサと、前記光源及び人感センサを覆うカバーと、を備えた照明器具であって、前記アクティブ型の人感センサは、ミリ波センサであり、前記器具本体の中央部に設けられるものである。
【発明の効果】
【００１０】
請求項１の発明によれば、検出手段が目立たなくなるので、照明器具の外観上の見栄えが良くなり、また、アクティブ型の人感センサは光源からの熱に影響されないので、光源の位置に拘わらず、照明器具の任意の位置に設置することができ、器具設計上の自由度が高くなる。また、検出手段を器具本体の略中央部に取り付けて、その検知エリアを、光源の光の照射エリアと略一致させることにより、想定される検知エリア内で正確に人の存在を検知して光源を点灯させることができる。
【００１１】
また、遮蔽物に覆われていても人検知が可能なミリ波センサをアクティブ型の人感センサとして用いているので、ミリ波センサをカバー等で隠すことにより、照明器具の外観上の見栄えが更に良くなる。また、ミリ波センサは、センシング部が小型であっても、長距離かつ広範囲の検知エリアを任意に制御することができるので、一般的なアクティブ型の人感センサに比べて、照明器具をコンパクトにすることができる。
【発明を実施するための最良の形態】
【００１２】
本発明の第１の実施形態に係る照明器具について、図１（ａ）（ｂ）を参照して説明する。本実施形態の照明器具１は、施設やオフィス等で使用される照明器具であって、光源に直管型蛍光灯を用い、この蛍光灯が外部に露出した２灯用センサ付照明器具を例として挙げる。照明器具１は、光源２と、この光源２を取り付ける器具本体３と、光源２を点灯制御する制御部４と、この制御部４に対して人体検出時にトリガ信号を生成するための検出手段５とを備える。なお、制御部４は、器具本体３と一体的に構成されていてもよい。
【００１３】
光源２は、ソケット部２１を介して器具本体３に取り付けられると共に、制御部４と電気的に接続される。また、制御部４は、検出手段５と電気的に接続され、検出手段５から送信されたトリガ信号に応じて光源２を点灯制御する。なお、制御部４には、光源２を点灯させるための適宜の点灯回路等も含まれる。
【００１４】
検出手段５は、アクティブ型の人感センサであり、光源２の被照射面に近接する位置よりも器具本体３に近い領域に設けられる。より好ましくは、検出手段５は、器具本体３の略中央部に取り付けられる。また、本実施形態においては、アクティブ型の人感センサとして、超音波センサが用いられる。
【００１５】
超音波センサは、自ら超音波を発信して、反射対象に当って返って来た超音波を受信するまでの時間を計測し、その計測時間の変化から反射対象の存在を判別するものである。すなわち、超音波センサは、周囲温度の影響を受けることなく反射対象（人）の存否を検出することができるので、熱源となる光源の位置に拘わらず、センサを照明器具の任意の位置に設置することができる。そのため、照明器具の設計上の自由度を高くすることができ、そのデザイン性を損なわない器具設計も可能になる。
【００１６】
また、上述したように、検出手段５が、光源２の被照射面に近接する位置よりも器具本体３に近い領域に設けられることにより、検出手段５が目立たなくなるので、照明器具１の外観上の見栄えが良くなる。
【００１７】
従来のセンサ付照明器具では、図３に示したように、センサ１０５が、ソケット部分１２１に取り付けられていると、センサ１０５の検知エリアＳ１と、光源１０２の照射エリアＲ１とが不一致となる。そのため、照射エリアＲ１に人が侵入してもセンサ１０５が人の存在を検知しないために光源が点灯しない、又は照射エリアＲ１に人が侵入していないのに、センサ１０５が人の存在を検して、光源が点灯するといった弊害があった。これに対して、本実施形態の照明器具１では、検出手段５が、器具本体３の略中央部に取り付けられるので、検出手段５の検知エリアＳ１を、光源２の光の照射エリアＲ１と略一致させることができ、上記のような弊害を防止して、正確な人検知及び光源２の点灯を可能とする。
【００１８】
次に、本発明の第２の実施形態に係る照明器具について、図２を参照して説明する。本実施形態の照明器具１は、一般住宅の屋内等で使用されるシーリングライトであって、光源２に環状型蛍光灯を用い、この蛍光灯がカバー６に覆われたセンサ付照明器具を例として挙げる。本実施形態の検出手段５は、アクティブ型の人感センサとして、ミリ波センサが用いられ、この検出手段５もカバー６に覆われている。
【００１９】
人検知のために送受信される電波は樹脂のような遮蔽物を透過するので、ミリ波センサは、カバー６に覆われていても人検知が可能であり、カバー６によってミリ波センサが隠されることにより、照明器具１の外観上の見栄えが更に良くなる。また、好ましくは、カバー６は、ミリ波を透過させる透光性樹脂等の材料から形成される。こうすれば、カバー６によって検出手段５の人検知能が低下することもない。
【００２０】
また、超音波センサ又は赤外線センサは、検知距離を長くする、又は検知エリアを拡大する場合には、その特性上、センサシング部が大型化してしまうが、ミリ波センサは、センシング部が小型であっても、例えば、人検知に用いられる電波の出力を適宜に調整することにより、長距離かつ広範囲の検知エリアを任意に制御することができる。そのため、他のアクティブ型のセンサを備えた照明器具に比べて、照明器具１をコンパクトにすることができる。また、本実施形態の照明器具１は、検出手段５がカバー６によって隠されているので、照明器具１の寸法に対して比較的大型のセンシング部を備えたミリ波センサ等が用いられても、照明器具１の外観上の見栄えを悪くすることはない。
【００２１】
なお、本発明は、上記構成に限られることなく種々の変形が可能である。例えば、検出手段５は、上述した超音波センサ又はミリ波センサに限られず、人体を検知するアクティブ型のセンサであれば任意のものを適用できる。また、光源２も、上述した直管型蛍光灯や環状蛍光灯に限らず、例えば、白熱電球であってもよい。
【図面の簡単な説明】
【００２２】
【図１】（ａ）は本発明の第１の実施形態に係る照明器具の側断面図、（ｂ）は同器具の正面断面図。
【図２】本発明の第２の実施形態に係る照明器具の側断面図。
【図３】従来の照明器具の側断面図。
【図４】（ａ）（ｂ）は従来の照明器具の側断面図。
【符号の説明】
【００２３】
１    照明器具
２    光源
３    器具本体
４    制御部
５    検出手段（アクティブ型の人感センサ）
【図１】
0005016445.tif 000002
【図２】
0005016445.tif 000003
【図３】
0005016445.tif 000004
【図４】
0005016445.tif 000005